(57)【要約】【課題】複数のデータの中から所望のデータを選択する際の操作性を向上する。【解決手段】複数のデータの識別が可能な識別情報を複数のデータについて一覧にした第１一覧画像を表示可能な表示部１２と、第１一覧画像の表示を指示する第１指示操作が可能な操作部と、第１指示操作に応じて第１一覧画像を表示部１２に表示させる第１一覧表示処理を実行する処理部とを備え、操作部は、第１一覧画像が表示部１２に表示されている状態において１つ以上のデータを選択する選択操作、および選択したデータについての識別情報だけを一覧にした第２波形表示画像Ｇ２の表示を指示する第２指示操作が可能に構成され、処理部は、第２指示操作に応じて第１一覧画像に代えて第２波形表示画像Ｇ２を表示部１２に表示させる第２一覧表示処理を実行する。【選択図】図５
2017130084.tif 000002
【特許請求の範囲】
【請求項１】
複数のデータの識別が可能な識別情報を当該複数のデータについて一覧にした第１一覧画像を表示可能な表示部と、前記第１一覧画像の表示を指示する第１指示操作が可能な操作部と、前記第１指示操作に応じて前記第１一覧画像を前記表示部に表示させる第１一覧表示処理を実行する処理部とを備えた電子機器であって、
前記操作部は、前記第１一覧画像が前記表示部に表示されている状態において１つ以上の前記データを選択する選択操作、および当該選択したデータについての前記識別情報だけを一覧にした第２一覧画像の表示を指示する第２指示操作が可能に構成され、
前記処理部は、前記第２指示操作に応じて前記第１一覧画像に代えて前記第２一覧画像を前記表示部に表示させる第２一覧表示処理を実行する電子機器。
【請求項２】
前記操作部は、前記第１一覧画像の対象とする前記データの条件を入力する条件入力操作が可能に構成され、
前記処理部は、前記条件入力操作によって入力された条件を満たす前記データについての前記識別情報だけを前記第１一覧画像に表示させる請求項１記載の電子機器。
【請求項３】
表示部、操作部および処理部を備えた電子機器に対して画像表示の処理を実行させる表示プログラムであって、
複数のデータの識別が可能な識別情報を当該複数のデータについて一覧にした第１一覧画像を、当該操作部に対する第１指示操作に応じて前記表示部に表示させる第１一覧表示処理を前記処理部に実行させ、
前記第１一覧画像が前記表示部に表示されている状態において１つ以上の前記データを選択する選択操作が前記操作部に対してされると共に、前記選択したデータについての前記識別情報だけを一覧にした第２一覧画像の表示を指示する第２指示操作が前記操作部に対してされたときに、前記第１一覧画像に代えて前記第２一覧画像を前記表示部に表示させる第２一覧表示処理を前記処理部に実行させる表示プログラム。
【発明の詳細な説明】
【技術分野】
【０００１】
本発明は、表示部、操作部および処理部を備えた電子機器、並びにその電子機器に対して画像表示の処理を実行させる表示プログラムに関するものである。
【背景技術】
【０００２】
この種の機器として、下記特許文献１に開示された携帯装置（クライアント）が知られている。この携帯装置は、表示部（描画・画面表示部）、ユーザインタフェース制御部、検索部、コンテンツ・メタデータ管理部および通信制御部を備えて構成されている。また、この携帯装置は、ユーザによって入力された検索条件を満たすコンテンツを示す情報を表示部に一覧表示する機能を有している。この機能を利用することで、数多くのコンテンツの中から所望のコンテンツを選択する際に、所望のコンテンツに類似するコンテンツを検索条件によって絞り込むことができるため、所望のコンテンツを選択する操作の効率を向上させることが可能となっている。
【先行技術文献】
【特許文献】
【０００３】
【特許文献１】特開２０１２−２２１０６５号公報（第５−７頁、第２図）
【発明の概要】
【発明が解決しようとする課題】
【０００４】
ところが、上記の携帯装置には、改善すべき以下の課題が存在する。すなわち、上記の携帯装置では、検索条件によって絞り込んだコンテンツを示す情報を一覧表示することが可能となっている。しかしながら、絞り込んだコンテンツの数が多いときには、それらのコンテンツを示す情報の全てを表示部の１つの画面内（表示領域内）に一度に表示することができないことがある。このような場合には、画面をスクロールさせつつ表示されているコンテンツの中から所望のコンテンツを選択操作によって選択する必要があるため、例えば、所望のコンテンツを複数選択するときには、選択した複数のコンテンツを示す情報が１つの画面内に存在しないことがあり、所望のコンテンツを全て選択したか否かを一目では確認することができないこととなる。このようなときには、選択したコンテンツを確認（選択したことを示すチェックマークを確認）する際に、選択したコンテンツを示す情報が表示されるまで画面を再びスクロールさせる煩雑な操作を行う必要がある。このように、この携帯装置には、数多くのコンテンツの中から所望のコンテンツを選択する際の操作性が悪いという課題があり、その改善が望まれている。
【０００５】
本発明は、かかる課題を解決すべくなされたものであり、複数のデータの中から所望のデータを選択する際の操作性を向上し得る電子機器および表示プログラムを提供することを主目的とする。
【課題を解決するための手段】
【０００６】
上記目的を達成すべく請求項１記載の電子機器は、複数のデータの識別が可能な識別情報を当該複数のデータについて一覧にした第１一覧画像を表示可能な表示部と、前記第１一覧画像の表示を指示する第１指示操作が可能な操作部と、前記第１指示操作に応じて前記第１一覧画像を前記表示部に表示させる第１一覧表示処理を実行する処理部とを備えた電子機器であって、前記操作部は、前記第１一覧画像が前記表示部に表示されている状態において１つ以上の前記データを選択する選択操作、および当該選択したデータについての前記識別情報だけを一覧にした第２一覧画像の表示を指示する第２指示操作が可能に構成され、前記処理部は、前記第２指示操作に応じて前記第１一覧画像に代えて前記第２一覧画像を前記表示部に表示させる第２一覧表示処理を実行する。
【０００７】
また、請求項２記載の電子機器は、請求項１記載の電子機器において、前記操作部は、前記第１一覧画像の対象とする前記データの条件を入力する条件入力操作が可能に構成され、前記処理部は、前記条件入力操作によって入力された条件を満たす前記データについての前記識別情報だけを前記第１一覧画像に表示させる。
【０００８】
また、請求項３記載の表示プログラムは、表示部、操作部および処理部を備えた電子機器に対して画像表示の処理を実行させる表示プログラムであって、複数のデータの識別が可能な識別情報を当該複数のデータについて一覧にした第１一覧画像を、当該操作部に対する第１指示操作に応じて前記表示部に表示させる第１一覧表示処理を前記処理部に実行させ、前記第１一覧画像が前記表示部に表示されている状態において１つ以上の前記データを選択する選択操作が前記操作部に対してされると共に、前記選択したデータについての前記識別情報だけを一覧にした第２一覧画像の表示を指示する第２指示操作が前記操作部に対してされたときに、前記第１一覧画像に代えて前記第２一覧画像を前記表示部に表示させる第２一覧表示処理を前記処理部に実行させる。
【発明の効果】
【０００９】
請求項１記載の電子機器、および請求項３記載の表示プログラムによれば、第１一覧画像が表示部に表示されている状態において１つ以上のデータを選択する選択操作および第２指示操作が操作部に対してされたときに、第１一覧画像に代えて第２一覧画像を表示部に表示させることにより、例えば、数多くのデータの中から複数のデータを選択した際に、選択対象のデータの全てを選択したか否かの確認を、スクロール操作を何回も繰り返すような煩雑な行為を行うことなく、選択した各データの識別情報を一目で確認することができる。このため、この電子機器および表示プログラムによれば、複数のデータの中から所望のデータを選択する際の操作性を十分に向上させることができる。
【００１０】
また、請求項２記載の電子機器によれば、操作部に対する条件入力操作によって入力された条件を満たすデータについての識別情報だけを第１一覧画像に表示させることにより、第１一覧画像に表示される識別情報の数を減らすことができるため、所望のデータを容易に捜し出すことができる。
【図面の簡単な説明】
【００１１】
【図１】携帯型端末１の構成を示す構成図である。
【図２】初期画像Ｇｉの表示画像図である。
【図３】データ情報表示画像Ｇｄの表示画像図である。
【図４】第１一覧画像Ｇ１の表示画像図である。
【図５】第２一覧画像Ｇ２の表示画像図である。
【図６】条件入力画像Ｇｃに条件を入力した状態の表示画像図である。
【発明を実施するための形態】
【００１２】
以下、電子機器および表示プログラムの実施の形態について、添付図面を参照して、説明する。
【００１３】
最初に、図１に示す携帯型端末１（例えば、スマートフォン）の構成について説明する。携帯型端末１は、電子機器の一例であって、同図に示すように、記憶部１１、表示部１２、操作部１３、入出力部１４、カメラ１５および処理部１６を備えて構成され、各種の処理を実行する端末として機能する。また、携帯型端末１は、図外の音声入出力部を備えて電話機としても機能する。
【００１４】
記憶部１１は、後述する第１一覧表示処理および第２一覧表示処理を処理部１６に実行させる表示プログラムＰｄを記憶する。また、記憶部１１は、測定装置２（図１参照）から出力されて入出力部１４を介して入力した測定データＤｍ、カメラ１５から処理部１６に出力された写真データＤｐ、および入出力部１４を介して入力したり操作部１３を用いて入力したりした文書データＤｄ等を記憶する。
【００１５】
表示部１２は、処理部１６の制御に従って各種の画像を表示する。具体的には、表示部１２は、記憶部１１に記憶されている各データ（上記した測定データＤｍ、写真データＤｐおよび文書データＤｄ等）の識別が可能な識別情報の一例として、データの生成日時、データサイズ、およびデータ形式（例えば、図４に示す「測定data」、「撮像data」、「文書data」）を示す文字情報を一覧にした第１一覧画像Ｇ１（図４参照）を表示する。また、表示部１２は、第１一覧画像Ｇ１の対象とするデータの条件を入力するための条件入力画像Ｇｃ（図３参照）を表示する。また、表示部１２は、第１一覧画像Ｇ１を表示している状態で選択されたデータについての識別情報だけを一覧にした第２一覧画像Ｇ２（図５参照）を表示する。また、表示部１２は、測定データＤｍに基づく測定値を表示する。
【００１６】
操作部１３は、各種の操作ボタン（図示せず）を備えて構成され、これらのボタンが操作されたときに操作信号を出力する。また、操作部１３は、表示部１２の表面側に配設された図外のタッチパネルを備えており、タッチパネルに対する操作（タッチ操作）が行われたときにも操作信号を出力する。この場合、この携帯型端末１では、操作部１３のタッチパネルに対する操作として、外部機器としての測定装置２からの測定データＤｍの入力を指示する操作、第１一覧画像Ｇ１の対象とするデータの条件を入力する条件入力操作、第１一覧画像Ｇ１の表示を指示する第１指示操作、第１一覧画像Ｇ１が表示されている状態で１つ以上のデータを選択する選択操作、および第２一覧画像Ｇ２の表示を指示する第２指示操作、および第１一覧画像Ｇ１や第２一覧画像Ｇ２をスクロールさせる操作などを行うことが可能となっている。また、カメラ１５に対して撮像を指示する撮像操作（シャッター操作）、および文字（文書）を入力する操作などを行うことも可能となっている。
【００１７】
入出力部１４は、処理部１６の制御に従い、測定装置２から出力（送信）される測定データＤｍを入力（受信）する。この場合、入出力部１４および測定装置２は、無線通信で測定データＤｍの入出力（送受信）を行う。
【００１８】
カメラ１５は、操作部１３に対して撮像操作（シャッター操作）がされたときに画像を撮像して写真データＤｐを出力する。
【００１９】
処理部１６は、操作部１３から出力される操作信号に従って携帯型端末１を構成する各部を制御する。また、処理部１６は、記憶部１１に記憶されている表示プログラムＰｄに従って各種の画像を表示部１２に表示させる処理を実行する。この場合、処理部１６は、操作部１３に対する上記した第１指示操作に応じて第１一覧画像Ｇ１を表示させる第１一覧表示処理を実行する。また、処理部１６は、操作部１３に対する上記した第２指示操作に応じて第１一覧画像Ｇ１に代えて第２一覧画像Ｇ２を表示させる第２一覧表示処理を実行する。
【００２０】
次に、携帯型端末１の使用方法、および携帯型端末１の動作について、図面を参照して説明する。
【００２１】
この携帯型端末１では、外部から入力したデータを記憶部１１に記憶させることが可能となっている。例えば、図１に示す測定装置２によって測定された測定データＤｍを入力して記憶部１１に記憶させるときには、操作部１３を操作して測定データＤｍの入力を指示する。この際に、操作部１３が操作信号を出力し、処理部１６が操作信号に従って入出力部１４を制御して、測定装置２との間における通信を開始させる。次いで、測定装置２を操作して測定データＤｍの出力（送信）を開始する。続いて、入出力部１４が、測定データＤｍを入力（受信）し、処理部１６が、その測定データＤｍを記憶部１１に記憶させる。
【００２２】
また、この携帯型端末１は、カメラ１５を備えており、操作部１３に対する撮像操作によってカメラ１５で撮像した写真の写真データＤｐが、処理部１６の制御によって記憶部１１に記憶される。
【００２３】
一方、この携帯型端末１では、記憶部１１に記憶されているデータを出力（外部に送信）したり、記憶部１１に記憶されているデータを消去したり、記憶部１１に記憶されているデータに基づく画像を表示部１２に表示させたりする処理を行う際に、処理対象とする所望のデータを選択する作業を容易に行うことが可能となっている。
【００２４】
例えば、記憶部１１に複数のデータが記憶されている場合において、その中から所望のデータを選択するときには、図２に示すように、表示部１２に表示されている初期画像Ｇｉ内のアイコンＩｉの表示部位をタッチ操作（タッチパネルに対するタップ操作）する。なお、アイコンＩｉの表示部位に対するタッチ操作が第１指示操作に相当する。この際に、操作部１３が操作信号を出力し、処理部１６が記憶部１１から表示プログラムＰｄを読み出す。
【００２５】
次いで、処理部１６は、図３に示すように、表示部１２の表示領域Ｄｅにデータ情報表示画像Ｇｄを表示させる。この場合、データ情報表示画像Ｇｄの第１表示領域Ｄｅ１には、第１一覧画像Ｇ１の対象とするデータの条件を入力するための条件入力画像Ｇｃ、および第１一覧表示処理の実行を指示するアイコンＩｓが表示される。また、データ情報表示画像Ｇｄの第２表示領域Ｄｅ２には、選択したデータに対して実行させる各処理を示すアイコンＩｄ１〜Ｉｄ３および第２一覧表示処理の実行を指示するアイコンＩｎが表示される。
【００２６】
続いて、処理部１６は、表示プログラムＰｄに従って第１一覧表示処理を実行する。この第１一覧表示処理では、処理部１６は、記憶部１１に記憶されているデータの識別が可能な識別情報を、記憶部１１に記憶されているすべてのデータ（上記した測定データＤｍ、写真データＤｐおよび文書データＤｄ）について特定する。この場合、処理部１６は、識別情報の一例として、データの内容（データ形式）、形式データの生成日時、およびデータサイズを特定する。
【００２７】
次いで、処理部１６は、図４に示すように、識別情報をデータ毎に一覧にした第１一覧画像Ｇ１を表示領域Ｄｅ内の第３表示領域Ｄｅ３（第１表示領域Ｄｅ１と第２表示領域Ｄｅ２との間の領域）に表示させる。この第１一覧画像Ｇ１では、一例として、５つの帯状領域Ｄｂを設け、１つの帯状領域Ｄｂに１つのデータを割り当てて、各帯状領域Ｄｂに各データの識別情報が表示される。また、この第１一覧画像Ｇ１では、同図に示すように、各帯状領域Ｄｂに、そのデータを選択したことを示すチェックマークＭｃを表示するサークルＭｒが表示される。この場合、データの数が第３表示領域Ｄｅ３に識別情報を表示可能な数（この例では、５つ）を超えるときには、処理部１６は、操作部１３に対するスクロール操作（タッチパネルに対するスワイプ操作やフリック操作）に応じて第１一覧画像Ｇ１をスクロールさせることで表示される識別情報を切り替える。
【００２８】
続いて、第１一覧画像Ｇ１内の識別情報から所望のデータを探し、そのデータの識別情報が表示されている帯状領域Ｄｂをタッチ操作する。なお、帯状領域Ｄｂに対するタッチ操作が選択操作に相当する。この際に、処理部１６は、図４に示すように、その帯状領域Ｄｂ内のサークルＭｒ内に、その帯状領域Ｄｂに対応するデータが選択されたことを示すチェックマークＭｃを表示させる。
【００２９】
次いで、選択したデータに対する処理の実行を指示する。一例として、選択したデータを出力（外部に送信）する出力処理を指定するときには、図４に示すように、各処理に対して割り当てられたアイコンであって、データ情報表示画像Ｇｄの第２表示領域Ｄｅ２に表示されているアイコンＩｄ１〜Ｉｄ３（以下、区別しないときには「アイコンＩｄ」ともいう）の中から、出力処理に対して割り当てられたアイコンＩｄ３の表示部位をタッチ操作する。
【００３０】
これに応じて、処理部１６は、記憶部１１から選択されたデータを読み出し、続いて、入出力部１４を制御して、読み出したデータを出力させる。
【００３１】
また、複数のデータを選択してそれらのデータを一括で処理させるときには、選択対象（処理対象でもある）の各データの各帯状領域Ｄｂを順次タッチ操作した後に、処理に対して割り当てられた各アイコンＩｄのいずれかの表示部位をタッチ操作することで、選択した複数のデータが一括で処理される。
【００３２】
一方、記憶部１１に数多くのデータが記憶されているときには、第１一覧画像Ｇ１に表示される識別情報の数も多くなるため、所望のデータを選択するには、第１一覧画像Ｇ１をスクロールさせるスクロール操作を何回も繰り返さなければならないことがある。このような場合において、上記したように、複数のデータを選択して、それらのデータを一括で処理させるときには、選択対象のデータの全てを選択したか否かを確認する際にも、スクロール操作を何回も繰り返すこととなる。
【００３３】
このような、煩雑な行為を回避するため、この携帯型端末１には、選択したデータの識別情報を一目で確認するための機能が備えられている。具体的には、第１一覧画像Ｇ１が表示されている状態において、上記したように、複数のデータの各帯状領域Ｄｂを順次タッチ操作した後に、図４に示すように、データ情報表示画像Ｇｄの第２表示領域Ｄｅ２に表示されているアイコンＩｎの表示部位をタッチ操作する。なお、アイコンＩｎの表示部位に対するタッチ操作が第２指示操作に相当する。
【００３４】
これに応じて、処理部１６は、第２一覧表示処理を実行する。この第２一覧表示処理では、処理部１６は、選択されたデータ（チェックマークＭｃが表示された帯状領域Ｄｂに対応するデータ）を特定し、次いで、処理部１６は、図５に示すように、選択されたデータについての識別情報だけを一覧にした第２一覧画像Ｇ２を、第１一覧画像Ｇ１に代えてデータ情報表示画像Ｇｄの第３表示領域Ｄｅ３に表示させる。この場合、第２一覧画像Ｇ２には、５つのデータの識別情報（帯状領域Ｄｂ）が表示可能であり、選択されたデータが５つを超えるときには、処理部１６は、操作部１３に対するスクロール操作に応じて第２一覧画像Ｇ２をスクロールさせる。
【００３５】
上記した第２一覧画像Ｇ２を表示させることで、第１一覧画像Ｇ１をスクロールさせるスクロール操作を繰り返して数多くのデータの中から複数のデータを選択した場合であっても、選択した各データの識別情報を一目で確認することが可能となる。
【００３６】
また、記憶部１１に膨大な数のデータが記憶されているときには、第１一覧画像Ｇ１に表示される識別情報を絞り込むことで、選択対象のデータの捜し出しが容易となる。このような使用形態に対応するため、この携帯型端末１には、データを絞り込む機能が備えられている。具体的には、第１一覧画像Ｇ１に全てのデータの識別情報が表示されている状態（図４の状態）において、絞り込み後の第１一覧画像Ｇ１の対象とするデータの条件（絞り込み条件）をデータ情報表示画像Ｇｄの第１表示領域Ｄｅ１に表示されている条件入力画像Ｇｃに入力する（条件入力操作を行う）。この場合、一例として、選択対象のデータが有する識別情報の一部を絞り込み条件とする。
【００３７】
続いて、絞り込みの実行（入力した絞り込み条件に適合するデータの検索）を指示するアイコンＩｓの表示部位をタッチ操作する。これに応じて、処理部１６は、図６に示すように、全てのデータの識別情報を含む第１一覧画像Ｇ１に代えて、絞り込み条件に適合するデータの識別情報だけで構成された第１一覧画像Ｇ１を表示領域Ｄｅ内の第３表示領域Ｄｅ３に表示させる。この場合、同図に示すように、一例として、データ生成日の範囲（２０１５年８月１日〜２０１５年１２月３１日）、およびデータの種類（測定データ）を絞り込み条件として入力したときには、その条件に適合するデータの識別情報だけが第１一覧画像Ｇ１に表示される。以上のように、絞り込み条件が共通するデータの識別情報だけを第１一覧画像Ｇ１に表示することで、第１一覧画像Ｇ１に表示される識別情報の数を減らすことができるため、選択対象のデータを容易に捜し出すことが可能となる。
【００３８】
このように、この携帯型端末１および表示プログラムＰｄによれば、第１一覧画像Ｇ１が表示部１２に表示されている状態において１つ以上のデータを選択する選択操作および第２指示操作が操作部１３に対してされたときに、第１一覧画像Ｇ１に代えて第２一覧画像Ｇ２を表示部１２に表示させることにより、例えば、数多くのデータの中から複数のデータを選択した際に、選択対象のデータの全てを選択したか否かの確認を、スクロール操作を何回も繰り返すような煩雑な行為を行うことなく、選択した各データの識別情報を一目で確認することができる。このため、この携帯型端末１および表示プログラムＰｄによれば、複数のデータの中から所望のデータを選択する際の操作性を十分に向上させることができる。
【００３９】
また、この携帯型端末１および表示プログラムＰｄによれば、操作部１３に対する条件入力操作によって入力された条件を満たすデータについての識別情報だけを第１一覧画像Ｇ１に表示させることにより、第１一覧画像Ｇ１に表示される識別情報の数を減らすことができるため、所望のデータを容易に捜し出すことができる。
【００４０】
なお、電子機器および表示プログラムは、上記の構成に限定されない。例えば、携帯型端末１の入出力部１４と測定装置２とが無線通信で測定データＤｍの入出力（送受信）を行う例について上記したが、入出力部１４と測定装置２とが通信用ケーブルを介して測定データＤｍの入出力を行う構成を採用することもできる。
【００４１】
また、条件入力画像Ｇｃ、第１一覧画像Ｇ１および第２一覧画像Ｇ２の表示態様（画像のデザイン）は一例であって、適宜変更することができる。
【００４２】
また、記憶部１１を備え、その記憶部１１に記憶されているデータを対象として第１一覧表示処理および第２一覧表示処理を実行する例について上記したが、外部の記憶部に対して第１一覧表示処理および第２一覧表示処理を実行する構成（記憶部１１を備えていない構成）を採用することもできる。
【００４３】
また、電子機器としての携帯型端末１に適用した例について上記したが、電子機器は、携帯型端末１に限定されず、パーソナルコンピューターや測定装置が含まれる。したがって、パーソナルコンピューターや測定装置２において上記した表示プログラムＰｄを実行することで、携帯型端末１が有する機能をパーソナルコンピューターや測定装置２に付加することができる。
【符号の説明】
【００４４】
１  携帯型端末
１１  記憶部
１２  表示部
１３  操作部
１６  処理部
Ｇ１  第１一覧画像
Ｇ２  第２一覧画像
Ｇｄ  データ情報表示画像
Ｉｉ  アイコン
Ｉｎ  アイコン
Ｉｓ  アイコン
【図１】
2017130084.tif 000003
【図２】
2017130084.tif 000004
【図３】
2017130084.tif 000005
【図４】
2017130084.tif 000006
【図５】
2017130084.tif 000007
【図６】
2017130084.tif 000008